【手続補正書】
【提出日】平成27年7月9日(2015.7.9)
【手続補正１】
【補正対象書類名】特許請求の範囲
【補正対象項目名】全文
【補正方法】変更
【補正の内容】
【特許請求の範囲】
【請求項１】
ネットワークに参加するための勧誘を提案するための、コンピュータで実行される方法であって、
ネットワークの第１のユーザが、同ユーザと関係付けられている複数の個人に対応する情報にアクセスし、前記ネットワークがモバイルビデオ呼び出しサービスを含むことと、
前記複数の個人のうちのいずれかが、前記第１のユーザとの前記ネットワークに参加するための勧誘に値するかどうかを判定することであって、前記情報に基づいて判定することと、を含む、コンピュータで実行される方法。
【請求項２】
前記ネットワークの前記第１のユーザに対応する情報を取得することをさらに含む、
請求項１に記載のコンピュータで実行される方法。
【請求項３】
複数の個人に対応する情報への前記アクセスは、
連絡先リストにアクセスすることをさらに含む、請求項１に記載のコンピュータで実行される方法。
【請求項４】
複数の個人に対応する情報への前記アクセスは、
グローバル連絡先リストにアクセスすることをさらに含む、請求項１に記載のコンピュータで実行される方法。
【請求項５】
複数の個人に対応する情報への前記アクセスは、
前記複数の個人に対応するアドレス可能情報にアクセスすることをさらに含む、請求項１に記載のコンピュータで実行される方法。
【請求項６】
複数の個人に対応する前記情報は、名前、電話番号、Ｅメールアドレス、およびＦａｃｅｂｏｏｋ  ＩＤからなる群からさらに選択される、請求項１に記載のコンピュータで実行される方法。
【請求項７】
前記判定はさらに通話履歴に基づく、請求項１に記載のコンピュータで実行される方法。
【請求項８】
前記判定はさらに通信パターンに基づく、請求項１に記載のコンピュータで実行される方法。
【請求項９】
前記判定はさらに通信尺度に基づく、請求項１に記載のコンピュータで実行される方法。
【請求項１０】
前記通信尺度は、通話の持続時間、通話の時間、通話の回数、通話の場所、市外局番、および通話のコストからなる群から選択される、請求項９に記載のコンピュータで実行される方法。
【請求項１１】
前記ネットワークへの提案された勧誘を生成することをさらに含む、
請求項１、７、８、９、又は１０に記載のコンピュータで実行される方法。
【請求項１２】
提案された勧誘のリストを前記第１のユーザに提示することをさらに含む、
請求項１、７、８、９、又は１０に記載のコンピュータで実行される方法。
【請求項１３】
提案された勧誘の前記提示されたリスト内での個人の選択を許可することをさらに含む、
請求項１２に記載のコンピュータで実行される方法。
【請求項１４】
提案された勧誘のリストを前記第１のユーザに自動的に提示することをさらに含む、
請求項１、７、８、９、又は１０に記載のコンピュータで実行される方法。
【請求項１５】
前記第１のユーザとの前記ネットワークに参加するための前記勧誘に値する、前記複数の個人のうちの前記いずれかを自動的に勧誘することをさらに含む、
請求項１に記載のコンピュータで実行される方法。
【請求項１６】
デバイスであって、
複数の個人に対応する情報にアクセスするように構成された情報アクセス機構であって、ネットワークの第１のユーザが前記複数の個人に関係付けられており、前記ネットワークがモバイルビデオ呼び出しサービスを含む、情報アクセス機構と、
前記複数の個人のうちのいずれかが、前記ユーザとの前記ネットワークに参加するための勧誘に値するかどうかを判定するように構成された勧誘判定器であって、前記判定は前記情報に基づく、勧誘判定器と、
を備える、デバイス。
【請求項１７】
前記情報アクセス機構は、前記ネットワークの前記第１のユーザに対応する情報にアクセスするようにさらに構成される、請求項１６に記載のデバイス。
【請求項１８】
連絡先リストをさらに備える、
請求項１６に記載のデバイス。
【請求項１９】
提案された前記ネットワークへの勧誘を生成するように構成される勧誘生成器をさらに備える、
請求項１６に記載のデバイス。
【請求項２０】
提案された勧誘のリストを前記第１のユーザに提示するように構成されるディスプレイをさらに備える、
請求項１６〜１９のいずれか１項に記載のデバイス。
【請求項２１】
ネットワークに参加するための勧誘を提案するための、コンピュータで実行される方法であって、
第１のデバイスに記憶され、前記ネットワークのユーザと関係付けられた連絡先リストの情報にアクセスし、前記連絡先リストが複数の個人と関係付けられた情報を含み、前記ネットワークがモバイルビデオ呼び出しサービスを含むことと、
前記複数の個人と関係する前記情報を、第１のユーザに関係する情報と比較することと、
前記比較に基づいて、前記複数の個人のいずれかが前記ネットワークに参加するための勧誘に値するかどうか判定することと、
前記ネットワークに参加するための勧誘に値すると判定された場合に、前記ネットワークに参加するための提案された勧誘を少なくとも１つ生成することと、
少なくとも１つの前記提案された勧誘を前記第１のユーザに提示することと、
を含む、コンピュータで実行される方法。
【請求項２２】
前記判定が通話履歴にさらに基づく、
請求項２１に記載のコンピュータで実行される方法。
【請求項２３】
コンピュータによって可読なプログラムコードが記憶された、コンピュータによって可読のデータ記憶媒体であって、前記プログラムコードは、
第１のデバイスに記憶され、ネットワークの第１のユーザと関係付けられた連絡先リストにアクセスするように構成され、前記連絡先リストが複数の個人と関係付けられた情報を含み、前記ネットワークがモバイルビデオ呼び出しサービスを含む、情報アクセス機構と、
前記複数の個人と関係する前記情報と、前記第１のユーザと関係する情報とを比較し、当該比較に基づいて、前記複数の個人のうちのいずれかが前記ネットワークに参加するための勧誘に値するかどうかを判定するように構成された勧誘判定器と、
前記ネットワークに参加するための勧誘に値すると判定された場合に、前記ネットワークに参加するための提案された勧誘を少なくとも１つ生成するように構成された勧誘生成器と、
前記第１のユーザに少なくとも１つの前記提案された勧誘を提示するように構成された勧誘表示機構と、
を備える、コンピュータによって可読のデータ記憶媒体。
【請求項２４】
前記勧誘判定器は、前記判定が、さらに通話履歴に基づくように構成された、
請求項２３に記載のコンピュータによって可読のデータ記憶媒体
【請求項２５】
通信サービスネットワークに参加するための勧誘を提案するための、コンピュータで実行される方法であって、
通話の接続時間、通話の時間、および通話のエリアを含む、前記ネットワークの第１のユーザと他の個人との間の申し込まれた通話および受信された通話に関する情報を、通話履歴に記憶することと、
前記ネットワークの前記第１のユーザに関係付けられた複数の個人を含む連絡先リストにアクセスすることと、
前記通話履歴に基づいて、前記連絡先リストにリストアップされており、前記ネットワークの通信サービスに登録されていない前記複数の個人のいずれかが前記第１のユーザとの前記ネットワークに参加するための勧誘に値するかどうかを判定することであって、前記判定が、
前記第１のユーザによって頻繁に電話がかけられる個人を判定すること、もしくは前記第１のユーザに頻繁に電話をかける個人を判定すること、
前記第１のユーザと電話で長く会話する個人を判定すること、または
遠方の市外局番もしくは前記第１のユーザと異なる国にいる個人を判定すること
のうちの１つを含む、コンピュータで実行される方法。
【請求項２６】
デバイスであって、
通話の接続時間、通話の時間、および通話のエリアを含む、通信サービスネットワークの第１のユーザと他の個人との間の申し込まれた通話および受信された通話に関する情報を記憶する通話履歴と、
前記ネットワークの前記第１のユーザに関係付けられた複数の個人を含む連絡先リストにアクセスするように構成された情報アクセス機構と、
前記通話履歴に基づいて、前記連絡先リストにリストアップされており、前記ネットワークの通信サービスに登録されていない前記複数の個人のいずれかが前記第１のユーザとの前記ネットワークに参加するための勧誘に値するかどうかを判定するように構成され、前記判定が、
前記第１のユーザによって頻繁に電話がかけられる個人を判定すること、もしくは前記第１のユーザに頻繁に電話をかける個人を判定すること、
前記第１のユーザと電話で長く会話する個人を判定すること、または
遠方の市外局番もしくは前記第１のユーザと異なる国にいる個人を判定すること
のうちの１つを含む、勧誘判定器と、
を備える、デバイス。